(57)【要約】【課題】掃除機本体の排気口で発生する空力音を低減することができる電気掃除機を提供する。【解決手段】掃除機本体２の吸気口３に連通した集塵室４と、集塵室４及び排気口５の間を連通する送風室６と、送風室６に内設された電動送風機７とを備え、排気流速が大きい孔８ａの周囲に排気流速の小さい孔８ｂを配置した複数の孔を有する多孔枠体８を排気口５に設け、多孔枠体８の排気上流側に整流フィルタ９ａを設け、多孔枠体８の排気下流側を紡績布１０ａで覆っている。この構成により、掃除機本体２の排気口５の中央部から周辺部にかけての速度変化が緩やかになり、乱流の発生が抑えられて、空力音が大幅に低減される。【選択図】図１
2010178768.tif 000002
【特許請求の範囲】
【請求項１】
掃除機本体の吸気口に連通した集塵室と、前記集塵室及び前記掃除機本体の外郭に設けられた排気口の間を連通する送風室と、前記送風室に内設された電動送風機とを備え、排気流速が大きい孔の周囲に排気流速の小さい孔を配置した複数の孔を有する多孔枠体を前記排気口に設け、前記多孔枠体の排気上流側に整流フィルタを設け、前記多孔枠体の排気下流側を紡績布で覆った電気掃除機。
【請求項２】
多孔枠体は、排気流速の大きい孔と排気流速の小さい孔を交互に配置した請求項１に記載の電気掃除機。
【請求項３】
多孔枠体は、排気流速が大きい孔を排気流速が小さい複数の孔で多重に包囲し、多重に包囲した複数の孔が外周側になるほど排気流速が小さくなるように配置した請求項１に記載の電気掃除機。
【請求項４】
多孔枠体は、実質的に小さな口径の孔が大きな口径の孔を包囲するように構成された請求項１〜３のいずれか１項に記載の電気掃除機。
【請求項５】
多孔枠体は、実質的に小さな口径の孔が大きな口径の孔を包囲して環状に変形された請求項４に記載の電気掃除機。
【請求項６】
多孔枠体は、実質的に小さな口径の孔が大きな口径の孔を包囲して多重に配列された請求項４に記載の電気掃除機。
【請求項７】
複数の孔は、孔の長さを短くして排気流速を大きくし、孔の長さを長くして排気速度を小さくするように構成した請求項１〜６のいずれか１項に記載の電気掃除機。
【発明の詳細な説明】
【技術分野】
【０００１】
本発明は、掃除機本体の排気口で発生する空力音を低減することが可能な電気掃除機に関するものである。
【背景技術】
【０００２】
従来、この種の電気掃除機としては、風向案内板を用いて掃除機本体からの排気方向を変えて使用者へ伝播する騒音を抑えたものや、掃除機本体の排気口に紡績布で排気下流側を覆うことで分散排気させたものが知られている（例えば、特許文献１、２参照）。
【０００３】
図１８は、特許文献１に記載された従来の電気掃除機の断面構成を示す図である。集塵用フィルタ２１を配設する集塵室２２とファンモータ２３を配設するモータ室２４とを備えた掃除機本体２５と、掃除機本体２５の後面にファンモータ２３からの排気を外部に排出するように形成した排気出口２６を設け、排気出口２６は、その上部からの排気を下方向きに、その下部からの排気を上方向きに排気するようにした風向案内板２７を設けた電気掃除機２８が開示されている。
【０００４】
図１９は特許文献２に記載された従来の電気掃除機の断面構成を示す図であり、図２０は同電気掃除機の排気口３０の構成を示す分解図である。図１９及び図２０に示すように、塵埃を吸引する吸引風を発する電動送風機２９を内設し、電動送風機２９より排出される排気を大気へ放出する排気口３０を備えた掃除機本体３１において、排気口３０に着脱自在で排気下流側全面を紡績布３２で覆った枠部材３３を備え、枠部材３３の上流側および下流側にフィルタ３４、３５を設けるとともに、排気口３０の外殻部を紡績布３２で覆った電気掃除機３６が開示されている。
【特許文献１】特開平４−２１８１２６号公報
【特許文献２】特開２００３−１９０９１号公報
【発明の開示】
【発明が解決しようとする課題】
【０００５】
しかしながら、特許文献１に記載の従来の電気掃除機の構成では、ファンモータ２３からの排気の流れはモータ室２４内の排気流路と排気出口２６の通気圧損に応じて決まるため、排気出口２６における排気流速は場所によってばらばらとなり、排気出口２６から周辺部にかけて大きな速度変化が生じて、乱流に起因する空力音が発生してしまうという課題を有していた。
【０００６】
さらに、特許文献２に記載の従来の電気掃除機の構成では、排気口３０の孔の形状および配置については金型加工の容易性や強度確保の視点での記述にとどまっており、排気口３０は基本的に同じ形状の孔を有している。そのため、排気口３０の近傍の排気流速の分布は図２１に示すような状態になっていた。
【０００７】
図２１は、排気口３０内にフィルタ３４，３５、枠部材３３および紡績布３２を装着した状態を示す模式図であり、排気流速の大きさを破線矢印で示し、排気流速の分布を実線で記入し、乱流３６の発生状態を実線矢印で示している。同図に示すように、排気口３０からその周囲部に在る掃除機本体３１の外郭３１ａにかけて排気流速の速度変化が大きくなり、乱流３６に起因する空力音が発生してしまうという課題を有していた。
【０００８】
本発明は、前記従来の課題を解決するもので、掃除機本体の排気口から周辺部にかけての速度変化を緩やかにして、排気口で発生する空力音を低減することができる電気掃除機
を提供することを目的とする。
【課題を解決するための手段】
【０００９】
前記従来の課題を解決するために、本発明の電気掃除機は、掃除機本体の吸気口に連通した集塵室と、前記集塵室及び前記掃除機本体の外郭に設けられた排気口の間を連通する送風室と、前記送風室に内設された電動送風機とを備え、排気流速が大きい孔の周囲に排気流速の小さい孔を配置した複数の孔を有する多孔枠体を前記排気口に設け、前記多孔枠体の排気上流側に整流フィルタを設け、前記多孔枠体の排気下流側を紡績布で覆われている。
【００１０】
これによって、電動送風機から放出された排気は、整流フィルタで流れが整えられて乱流成分が低減されて多孔枠体へほぼ均一に流れるようになり、多孔枠体では大きな流速を有する排気の周りを小さな流速の排気が流れて、紡績布の目を通過して掃除機本体から放出されるため、掃除機本体の排気口から周辺部にかけての速度変化が緩やかになり、乱流の発生が抑えられて、乱流に起因する空力音が大幅に低減される。
【発明の効果】
【００１１】
本発明の電気掃除機は、掃除機本体の排気口から周辺部にかけての速度変化を緩やかにして、乱流に起因する空力音を大幅に低減することができる。
【発明を実施するための最良の形態】
【００１２】
第１の発明は、掃除機本体の吸気口に連通した集塵室と、前記集塵室及び前記掃除機本体の外郭に設けられた排気口の間を連通する送風室と、前記送風室に内設された電動送風機とを備え、排気流速が大きい孔の周囲に排気流速の小さい孔を配置した複数の孔を有する多孔枠体を前記排気口に設け、前記多孔枠体の排気上流側に整流フィルタを設け、前記多孔枠体の排気下流側を紡績布で覆った電気掃除機である。
【００１３】
これによって、電動送風機から放出された排気は、整流フィルタで流れが整えられて乱流成分が低減されて多孔枠体へほぼ均一に流れるようになり、多孔枠体では大きな流速を有する排気の周りを小さな流速の排気が流れて、紡績布の目を通過して掃除機本体から放出されるため、掃除機本体の排気口から周辺部にかけての速度変化が緩やかになり乱流の発生が抑えられて乱流に起因する空力音の発生が大幅に低減される。
【００１４】
第２の発明は、特に、第１の発明において、多孔枠体は、排気流速の大きい孔と排気流速の小さい孔を交互に配置したことで、少ない孔形状で掃除機本体の排気口から周辺部にかけての速度変化を緩やかにしつつ、排気面積を大きくすることができるため、吸引力を低下させることなく空力音の発生を低減することができる。
【００１５】
第３の発明は、特に、第１の発明において、多孔枠体は、排気流速が大きい孔を排気流速が小さい複数の孔で多重に包囲し、多重に包囲した複数の孔が外周側になるほど排気流速が小さくなるように配置したことで、多孔枠体の中心から外周側に向かって排気流速がだんだんと小さくなり、排気口の中央部から周辺部にかけての速度変化をさらに緩やかにすることができるため、空力音の発生を大幅に低減することができる。
【００１６】
第４の発明は、特に、第１〜３のいずれか１つの発明において、多孔枠体は、実質的に小さな口径の孔が大きな口径の孔を包囲するように構成されたことで、孔の大きさを変えて通気圧損を調整して、排気口の中央部から周辺部にかけての速度変化をさらに緩やかにすることができ、空力音の発生が少ない掃除機本体を容易に構成することができる。
【００１７】
第５の発明は、特に、第４の発明において、多孔枠体は、実質的に小さな口径の孔が大
きな口径の孔を包囲して環状に変形されたことで、孔形状を変えて通気圧損を調整し、排気口の中央部から周辺部にかけての速度変化をさらに緩やかにすることができ、空力音の発生が少ない掃除機本体の排気口を容易に構成することができる。
【００１８】
第６の発明は、特に、第４の発明において、多孔枠体は、実質的に小さな口径の孔が大きな口径の孔を包囲して多重に配列されたことで、排気口の中央部から周辺部にかけての速度変化をさらに緩やかにすることができ、空力音の発生が少ない掃除機本体の排気口を容易に構成することができる。
【００１９】
第７の発明は、特に、第１〜第６のいずれか１つの発明の複数の孔は、孔の長さを短くして排気流速を大きくし、孔の長さを長くして排気速度を小さくするように構成したことで、排気口の中央部から周辺部にかけての速度変化をさらに緩やかにすることができ、空力音の発生が少ない掃除機本体の排気口を容易に構成することができる。
【００２０】
以下、本発明の実施の形態について、図面を参照しながら説明する。なお、この実施の形態によって本発明が限定されるものではない。
【００２１】
（実施の形態１）
図１は本発明の実施の形態１における電気掃除機の断面構成を示す概略図であり、図２は同電気掃除機の排気口の構成を表す分解図であり、図３は同排気口に設ける多孔枠体の正面図であり、図４は同電気掃除機の排気流速分布を表す模式図である。
【００２２】
図１及び図２において、電気掃除機１は、掃除機本体２の吸気口３に連通した集塵室４と、集塵室４及び掃除機本体２の排気口５と連通した送風室６と、送風室６に内設された電動送風機７を備え、樹脂成型して作製した複数の孔を有する多孔枠体８が着脱可能な状態で掃除機本体の排気口５に嵌め込んで固定されている。
【００２３】
また、電動送風機７は難燃性樹脂を用いた防音ケース１１で覆われており、防振ゴム１２ａ、１２ｂで前後を支持されている。集塵室４には塵埃を濾過分離するための集塵袋１３が設置されている。なお、図示していないが、掃除機本体２の吸気口３には、ホース、延長管が順次接続され、延長管の先端に床面上の塵埃を吸引するノズルが取りつけられている。
【００２４】
そして、図３に示すように、多孔枠体８には、大径の孔８ａの周囲を小径の孔８ｂが囲む状態で異なる大小２つの丸孔が交互に配置され、排気上流側にエアフィルタ９ａを接着し、排気下流側全面に紡績布１０ａを溶着している。
【００２５】
以上のように構成された電気掃除機について、以下その動作、作用を説明する。
【００２６】
まず、電動送風機７を駆動することにより集塵室４内が負圧状態となり、掃除機本体２の吸気口３から空気流が集塵室４へ流入する。集塵袋１３で濾過されて塵埃から分離された清潔な空気流は、送風室６内の電動送風機７に吸引され、電動送風機７内を通過した後、エアフィルタ９ａ、多孔枠体８、そして紡績布１０ａの順に流れて掃除機本体２の排気口５から排出される。
【００２７】
電動送風機７から放出された排気の流れ状態は、電動送風機７から排出される方向と、防音ケース１１及び送風室６とで形成される流路とに応じて決まるため、掃除機本体２の排気口５にかけて乱流成分の大きい流れとなる。しかしながら、エアフィルタ９ａを通過する際、エアフィルタ９ａの細孔によって排気の流れが整えられ、排気の乱流成分が低減されて、電動送風機７の排気は多孔枠体８へ向けてほぼ均一に流れるようになる。
【００２８】
一般に気流が円管を通過する際の圧力損失は、円管流路の直径に反比例する。そのため、多孔枠体８では大径の孔８ａの方が小径の孔８ｂに比べて通気圧損が小さくなり、大径の孔８ａからは大きな流速で排気が流出し、小径の孔８ｂからは大径の孔８ａに比べて小さな流速の排気が流出する。従って、排気口５近傍の排気流速分布が図４のようになる。
【００２９】
図４は、図３中のＡ−Ａ断面に対して生じる排気流速の分布を示す模式図であり、排気流速の大きさを破線矢印で示し、排気流速分布３７ａを実線で記入し、乱流３８ａの発生状態を実線矢印で示している。
【００３０】
同４に示すように、大きな流速の周りを小さな流速の排気が流れる状態で紡績布１０ａを通過するため、掃除機本体２の排気口５中央部から排気口５周辺部（掃除機本体２の外郭２ａ）にかけての速度変化が緩やかになり乱流の発生が抑えられて、乱流に起因する空力音が大幅に低減される。
【００３１】
紡績布１０ａの繊維材としては、天然繊維や化学繊維を用いたものが知られているが、耐熱性や耐摩耗性を加味すると、ナイロンやポリエステルなどの合成繊維を使用するのが望ましい。ナイロンは合成繊維の中でも耐摩耗性に優れており、また弾力性に富んでいるため、清掃中に家具などに接触した際の変形に対して強い材質である。
【００３２】
また、ポリエステルは耐熱性や耐光性に優れており、強い繊維であるため、電動送風機７の排気熱による変形、劣化を防止することが可能である。さらに、抗菌加工、防カビ加工を施すことで、製品の耐久性を向上させると同時に、不衛生な排気を清浄化することができる。
【００３３】
また、掃除機本体２の排気口５に嵌め込み固定した多孔枠体８は着脱自在であるため、エアフィルタ９ａと紡績布１０ａの排気口５への取り付けや取り外しが容易になる。また、エアフィルタ９ａや紡績布１０ａが経年劣化した際には、エアフィルタ９ａと紡績布１０ａを装着した多孔枠体８ごと排気口５から取り外して手入れしたり、或いは交換したりすることで長期に渡って使用が可能である。
【００３４】
以上のように、本実施の形態においては、掃除機本体２の排気口５に、大径の孔８ａの周囲を小径の孔８ｂが囲むように丸孔を配置した多孔枠体８を着脱自在に固定し、排気上流側にエアフィルタ９ａを接着し、排気下流側全面に紡績布１０ａを溶着したことにより、掃除機本体２の排気口５で発生する空力音を大幅に低減することができる。
【００３５】
（実施の形態２）
図５は、本発明の第２の実施の形態における電気掃除機の排気口の構成を表す分解図であり、図６はその排気口に設ける多孔枠体１４の正面図である。
【００３６】
図５、図６に示すように、多孔枠体１４は、中心に最大口径の孔１４ａを設け、最大の孔１４ａを包囲するように最大の孔１４ａの口径より小さい複数の孔１４ｂを配列し、それらの外周側を包囲するように複数の孔１４ｂより小さい複数の孔１４ｃを配列する。そして、更にそれらの外周側を包囲するように更に小さい複数の孔１４ｄを配列し、更にその外周側を包囲するように小さい複数の孔１４ｅを配列して、大きな口径の孔の外周を包囲して小さな口径の孔が大きな口径の孔を包囲して多重に配列している。
【００３７】
このようにして、孔径が多孔枠体１４の中心から外周側に向かってだんだんと小さくなるように複数の孔を配置することで、排気口５からの排気流速の分布は図７に示すようになる。
【００３８】
図７は、図６中のＢ−Ｂ断面に対して生じる排気流速の分布を示す模式図であり、電気掃除機の排気口の構成を拡大した図に、排気流速の大きさを破線矢印で示し、排気流速分布３７ｂを実線で記入し、乱流３８ｂの発生状態を実線矢印で示している。同図に示すように、最も排気流速の大きい掃除機本体２の排気口５中央部から排気口５周囲部にかけて、排気流速の大きさが緩やかにだんだんと小さくなり、速度変化をさらに緩やかにすることができるため、乱流３８ｂの発生が弱まり、空力音の発生を大幅に低減することができる。
【００３９】
（実施の形態３）
図８は、本発明の第３の実施の形態における電気掃除機の排気口の構成を示す分解図であり、図９は同電気掃除機の多孔枠体の正面図である。
【００４０】
図８、図９に示すように、多孔枠体１５は、最大口径の孔１５ａ，１５ｂを２箇所設け、実施の形態２と同様に最大口径の孔１５ａ，１５ｂを包囲する孔を外周側に向けてだんだんと小さくなるように多重に配列させていることで、図１０に示すような排気流速の分布を得る。
【００４１】
図１０は、図９中のＣ−Ｃ断面に対して生じる排気流速の分布を示す模式図であり、排気流速の大きさを破線矢印で示し、排気流速分布３７ｃを実線で記入し、乱流３８ｃの発生状態を実線矢印で示している。
【００４２】
図１０に示すように、最大口径の孔１５ａ，１５ｂに対応した箇所の排気流速が最大となり、最大口径の孔１５ａ，１５ｂを中心にそれぞれ外周側に向けて排気流速の大きさが緩やかにだんだんと小さくなり、最大口径の孔１５ａと１５ｂとの間の排気流速は最大の排気流速に連なって緩やかに変化する。そして、多孔枠体１５の排気面積を２倍に拡大することで、掃除機本体２の排気口５の通気圧損を大幅に低減することも可能である。勿論、２箇所に限るものではなく、３箇所以上設けてもよい。
【００４３】
なお、本実施の形態では、多孔枠体を樹脂成型で作製した場合で説明したが、図１１の分解図に示す変形例のように、多孔枠体１６は、パンチングメタルなどの多孔板１７と支持枠体１８をそれぞれ個別に成形して、多孔板１７に支持枠体１８を接着固定して一体化してもよく、同様の効果を得ることは言うまでもない。
【００４４】
（実施の形態４）
また、本実施の形態では、同一形状の丸孔を用いて説明したが、丸孔に限定されるものではなく、孔の形状を変形させて実施しても構わない。
【００４５】
図１２は、本発明の第４の実施の形態における電気掃除機の排気口の構成を示す分解図であり、図１３は同電気掃除機の多孔枠体の正面図である。
【００４６】
図１２、図１３に示すように、多孔枠体１９は、中心部に最大口径となる略楕円状あるいはトラック状の孔１９ａを形成し、その周囲に最大口径の孔１９ａの形状に沿うように変形させた実質的に最大口径の孔１９ａより小さい孔１９ｂ，１９ｃを形成し、それらの外周側にそれより更に小さい孔１９ｄ，１９ｅを形成し、最大口径となる孔１９ａの外周側に外側に行くほど等価直径が実質的に小さくなるように孔を形成する。
【００４７】
通気圧損は、孔面積と周長で決まる等価直径によって変わるため、図１３に示すように孔形状を調整して等価直径が異なる孔を形成し、最大口径の孔１９ａを中心に外周側にいくほど実質的な孔径が小さくなるように構成することができ、図１４に示すような排気流
速の分布を得られる。
【００４８】
図１４は、図１３中のＤ−Ｄ断面に対して生じる排気流速の分布を示す模式図であり、排気流速の大きさを破線矢印で示し、排気流速分布３７ｄを実線で記入し、乱流３８ｄの発生状態を実線矢印で示している。
【００４９】
同１４に示すように、排気流速の分布３７ｄは最大口径の孔１９ａ中心が最大となり、外周側に行くほど排気流速が徐々に小さくなるような分布を示し、上記と同様の原理により、掃除機本体２の排気口５における空力音の発生を低減することができる。
【００５０】
（実施の形態５）
図１５は、本発明の実施の形態５における電動送風機７の構成を示す分解図であり、図１６は同排気口に設ける多孔枠体の正面図である。なお、実施の形態１と同一要素については、同一符号を付してその説明を省略する。
【００５１】
図１５、図１６に示すように、掃除機本体２の多孔枠体２０は、複数の矩形孔を有し、その矩形孔ごとに多孔枠体２０の実質的な厚みが異なっており、長さが短い孔２０ａの周囲を長さが長い孔２０ｂが囲むように複数の孔が配置されている。具体的には、矩形孔２０ａ及び２０ｂの下流側の開口の大きさを同じくした状態で、矩形孔２０ａの孔内に段差を設けて実質的な孔の長さを短くし、孔２０ｂの孔内には段差を設けないことで孔２０ｂの長さを長くし、多孔枠体２０の実質的な厚みを異ならせる。
【００５２】
以上のように構成された電気掃除機について、以下その動作、作用を説明する。
【００５３】
まず、電動送風機７を駆動することで、電動送風機７から放出された排気は防音ケース１１を出た後、エアフィルタ９ｆに達し、エアフィルタ９ｆで整流されて多孔枠体２０にほぼ均一に流れこむ。気流が矩形管を通過する際の圧力損失は、矩形管流路の長さに比例するため、長さが短い孔２０ａの方は通気圧損が小さくなり、排気が大きな流速で流れ、その周囲に配置されている長さが長い孔２０ｂは排気が小さな流速で流れる。
【００５４】
多孔枠体２０を通過した排気は、紡績布１０ｆを通過して掃除機本体２の外に放出され、多孔枠体２０を通過するときに生じる排気流速の速度変化は紡績布１０ｆで緩和され、排気口５からの排気は排気速度が図１７に示すようになる。
【００５５】
図１７は、図１６Ｅ−Ｅ断面の排気流速の分布を表す模式図であり、排気流速の大きさを破線矢印で示し、排気流速分布３７ｄを実線で記入し、乱流３８ｄの発生状態を実線矢印で示している。同図に示すように、掃除機本体２の排気口５から排気口５周辺部にかけての速度変化が緩和されて、乱流の生成が抑えられるため、乱流に起因する空力音が低減される。
【００５６】
以上のように、本実施の形態５においては、掃除機本体２の排気口５に厚みの異なる矩形の孔を配置したことにより、掃除機本体２の排気口５と周囲環境との間の速度変化が緩和されて、掃除機本体２の排気口５で発生する空力音を大幅に低減することができる。
【００５７】
なお、上述した各実施の形態１〜５の構成は、これに限定されるものではなく、必要に応じて適宜組み合わせて実施することができる。
【産業上の利用可能性】
【００５８】
以上のように、本発明にかかる電気掃除機は、掃除機本体の排気口の中央部から周辺部にかけての速度変化を緩やかにすることで、乱流の発生を抑えて、空力音を大幅に低減す
ることが可能であるので、家庭用は勿論のこと、業務用の電気掃除機に適用することができる。
【図面の簡単な説明】
【００５９】
【図１】本発明の第１の実施の形態における電気掃除機の断面構成を表す概略図
【図２】同電気掃除機の排気口の構成を表す分解図
【図３】同電気掃除機の多孔枠体の正面図
【図４】同電気掃除機の排気流速分布を表す模式図
【図５】本発明の第２の実施の形態における電気掃除機の排気口の構成を表す分解図
【図６】同電気掃除機の多孔枠体の正面図
【図７】同電気掃除機の排気流速分布を表す模式図
【図８】本発明の第３の実施の形態における電気掃除機の排気口の構成を表す分解図
【図９】同電気掃除機の多孔枠体の正面図
【図１０】同電気掃除機の排気流速分布を表す模式図
【図１１】本発明の変形例における電気掃除機の排気口の構成を表す分解図
【図１２】本発明の第４の実施の形態における電気掃除機の排気口の構成を表す分解図
【図１３】同電気掃除機の多孔枠体の正面図
【図１４】同電気掃除機の排気流速分布を表す模式図
【図１５】本発明の第５の実施の形態における電気掃除機の排気口の分解図
【図１６】同電気掃除機の多孔枠体の正面図
【図１７】同電気掃除機の排気流速分布を表す模式図
【図１８】従来の電気掃除機の断面図
【図１９】従来の電気掃除機の断面図
【図２０】従来の電気掃除機の排気口の構成を表す分解図
【図２１】従来の電気掃除機の排気流速分布を表す模式図
【符号の説明】
【００６０】
１  電気掃除機
２  掃除機本体
３  吸気口
４  集塵室
５  排気口
６  送風室
７  電動送風機
８  多孔枠体
９ａ、９ｂ  エアフィルタ（整流フィルタ）
１０ａ、１０ｂ  紡績布
１４、１５、１６、１９  多孔枠体
【図１】
2010178768.tif 000003
【図２】
2010178768.tif 000004
【図３】
2010178768.tif 000005
【図４】
2010178768.tif 000006
【図５】
2010178768.tif 000007
【図６】
2010178768.tif 000008
【図７】
2010178768.tif 000009
【図８】
2010178768.tif 000010
【図９】
2010178768.tif 000011
【図１０】
2010178768.tif 000012
【図１１】
2010178768.tif 000013
【図１２】
2010178768.tif 000014
【図１３】
2010178768.tif 000015
【図１４】
2010178768.tif 000016
【図１５】
2010178768.tif 000017
【図１６】
2010178768.tif 000018
【図１７】
2010178768.tif 000019
【図１８】
2010178768.tif 000020
【図１９】
2010178768.tif 000021
【図２０】
2010178768.tif 000022
【図２１】
2010178768.tif 000023